(57)【特許請求の範囲】
【請求項１】
座席部分に付属の固定の金具部分（１１）及び寄掛り部に付属の調節可能な金具部分（１２）が、操作部材（１３）を介して互いに結合されており、両方の金具部分（１１，１２）の相互位置を決めかつ伝動装置として形成された調節及び固定装置が設けられており、操作部材（１３）が偏心区間（１４）を含み、この偏心区間に一方の金具部分（１２）が支持され、他方の金具部分（１１）が、偏心区間（１４）を支持しており、この偏心区間（１４）が、一部の範囲において連行体（２０）を覆う互いに傾斜した２つのくさびセグメント（２７）から、これらのくさびセグメント（２７）の狭い側の間にはまる連行体セグメント（２９）から、及びくさびセグメント（２７）の広い側を互いに押し離す力蓄積器（３５）から形成されており、操作部材（１３）が、伝達棒に回らないように結合するための中央収容部を有する、傾斜調節可能な寄掛り部を有する座席のための調節金具において、
連行体（２０）が、連行体ブシュ（２１）、及びこれに回らないように結合されかつ連行体セグメント（２９）を有する連行体リング（２６）から形成され、連行体リング（２６）が、他方の金具部分（１１）のカラー列（１９）に支持されており、かつ連行体セグメント（２９）のない周範囲（３０）に、くさびセグメント（２７）を支持し、くさびセグメント（２７）の湾曲した外面が、一方の金具部分（１２）に回らないように挿入されたブシュ（２８）を支持している
ことを特徴とする傾斜調節可能な寄掛り部を有する座席のための調節金具。
【請求項２】
連行体リング（２６）と連行体ブシュ（２１）が、分離した２つの構成部分から形成されており、これらの構成部分が、トルクを伝達するように形状結合して互いに結合されていることを特徴とする、請求項１に記載の調節金具。
【請求項３】
連行体リング（２６）が、その連行体セグメント（２９）の範囲に、半径方向内側に配置された切り欠き（３２）を有し、この切り欠き内に連行体ブシュ（２１）の少なくとも１つの連行体フック（３３）が、トルクを伝達するように噛み合っていることを特徴とする、請求項２に記載の調節金具。
【請求項４】
連行体セグメント（２９）のない連行体リング（２６）の周範囲（３０）が、くさびセグメント（２７）の湾曲した内面（３９）に対して異なった曲率を有することを特徴とする、前記請求項の１つに記載の調節金具。
【請求項５】
連行体リング（２６）の連行体セグメント（２９）のない周範囲（３０）とそれぞれのくさびセグメント（２７）の内面（３９）が異なる曲率を有し、それにより連行体リング（２６）の周範囲（３０）とくさびセグメント（２７）の内面（３９）との間に生じる線接触の点即ち支持点（４０）が、垂直線即ち両方の金具部分（１１，１２）の歯部の噛み合い位置に対して所定の角度（４１）内に生じることを特徴とする、請求項４に記載の調節金具。
【請求項６】
連行体リング（２６）の連行体セグメント（２９）のない周範囲（３０）とそれぞれのくさびセグメント（２７）の内面（３９）が異なる曲率を有し、それにより一方においてくさびセグメント（２７）の狭い側から出発しかつ他方においてくさびセグメント（２７）の広い側から出発してそれぞれ狭くなるくさびギャップ（４２）が生じ、支持点（４０）においてくさびセグメント（２７）の内面（３９）と連行体リング（２６）の周範囲（３０）とが接触することを特徴とする、請求項５に記載の調節金具。
【請求項７】
一方の金具部分（１２）と回らないように挿入されたブシュ（２８）の中心（Ｍ）と他方の金具部分（１１）のカラー列（１９）の中心（Ｏ）との間即ち偏心（ｅ）が可変であることを特徴とする、請求項１〜６の１つに記載の調節金具。
【発明の詳細な説明】
【０００１】
本発明は、座席部分に付属の固定の金具部分及び寄掛り部に付属の調節可能な金具部分が、操作部材を介して互いに結合されており、両方の金具部分相互の位置を決めかつ伝動装置として形成された調節及び固定装置が設けられており、かつ操作部材が偏心区間を含み、この偏心区間に一方の金具部分が支持され、他方の金具部分が、偏心区間を支持しており、この偏心区間が、一部の範囲において連行体を覆う互いに傾斜した２つのくさびセグメントから、これらのくさびセグメントの狭い側の間にはまる連行体セグメントから、及びくさびセグメントの広い側を互いに押し離す力蓄積器から形成されており、操作部材が、伝達棒に回らないように結合するための中央収容部を有する、傾斜調節可能な寄掛り部を有する座席のための調節金具に関する。
【０００２】
ドイツ連邦共和国特許出願公開第４４３６１０１号明細書によれば、前記のような調節金具が公知であり、ここではくさびセグメントの内面は、固定の金具部分に所属のカラー列に支持されている。くさびセグメントの外面は、背もたれに所属の金具部分内に固着した支持ブシュによって囲まれる。偏心区間を駆動するために、連行体から突出した連行体アームは、両方のくさびセグメントの狭い側の間にはまっているが、一方連行体自体は、固定の金具部分のカラー列内に支持されている。その際、連行体アームに対向するくさびセグメントの広い側は、ばね要素によって偏心を維持する方向に互いに押し離されている。背もたれに所属の金具部分の調節の際に、構成部分の支持位置及び歯部における不可避の製造公差の場合に、偏心の補償運動を可能にするために、くさびセグメントの狭い側と連行体アームとの間に、機能的に条件付けられた遊び空間が存在する。それにより金具を調節する際、とくに方向反転の際に、ある程度の空行程が生じ、この空行程は、座席利用者にとって空動きとして気付くことができるようになる。
【０００３】
本発明の課題は、空動きを排除するという趣旨で、初めに挙げたような調節金具を改善することにある。
【０００４】
この課題は、特許請求の範囲第１項の特徴部分に挙げられた特徴によって解決されている。連行体セグメントによって邪魔されない連行体リングの周範囲にくさびセグメントを支持するために、連行体ブシュによって連行体リングに伝達される回転運動の際に、連行体リングとくさびセグメントとの間の摩擦力は、駆動モーメントとして作用する。くさびセグメントの外側において、著しく大きな摩擦モーメントが、くさびセグメントとこの場合背もたれに所属の金具部分の支持穴との間に作用する。所定の外部負荷にまで、くさびセグメントと連行体リングとの間の摩擦モーメントは、偏心区間を回すために、したがって寄掛り部に所属の金具部分を調節するために、十分である。その結果、背もたれに所属の金具部分は、方向反転の際にも認識可能な空行程なしに調節することができる。この操作運動の間に、くさびセグメントは、製造に条件付けられた強制力に基づいて、補償運動を実行し、この補償運動は、支持位置におけるかつ歯噛み合いにおける遊びを除去するために、幾何学的な状態に整合する。この時、所定の外部負荷を上回り、かつくさびセグメントと連行体リングとの間の摩擦モーメントがもはや十分ではないと、所定の力レベルの際に両方のくさびセグメントが、その広い側に作用する力蓄積器に打勝ってこれらの広い側に互いに突当たり、かついわばブロック上にあるまで、先行するくさびセグメントの回転速度は低下し、その際、連行体リングの連行体セグメントは、一方の側においてくさびセグメントの一方の狭い側に接触することができるので、背もたれに所属の金具部分はさらに調節される。その結果、連行体の操作の際に、回転方向に関係なくそくざに、背もたれに所属のヒンジ金具は調節される。その際、連行体ブシュが、無条件で端から端まで延びた連行体セグメントを持たなければならないわけではなく、それどころかその代わりに、間隔を置いた２つの連行体カムを持つこともできる。
【０００５】
連行体ブシュと連行体リングが一片の構成部分として構成することができることは、全く考えられるとはいえ、連行体リングと連行体ブシュを、分離した２つの構成部分から形成することは、組立技術的な理由により有利なことがあり、これらの構成部分は、トルクを伝達するように形状結合して互いに結合されている。そのために連行体リングは、その連行体セグメントの範囲に、半径方向内側に配置された切り欠きを有することができ、この切り欠き内に連行体ブシュの少なくとも１つの連行体フックが、トルクを伝達するように噛み合っている。
【０００６】
これにより一部の範囲において囲まれる連行体リング上にくさびセグメントを配置する場合、−基本的にそれぞれの支持位置におけるように−、次に挙げる問題が生じる。すなわち金具部分のカラー列における連行体の支持の際における周知の解決策におけるもののように、ブシュがシリンダ上に支持される場合、通常両方の部分は、支持点として作用する唯一の接触点だけを有し、この接触点においてこれらの部分は、不可避の遊びに基づいて接触する。この接触点は、常に支持位置の負荷に基づいて結果として生じる力において生じる。例えば座席において生じる閾値負荷作用の際のように、結果として生じるこの力の方向が交代すると、この接触点は、常にそれぞれ作用する力方向に整合する。したがってそれにより連行体は、金具部分のカラー列内において転がり、このことは、座席利用者によって寄掛り部の遊びとして知覚される。その結果、走行運転の間の遊び運動によって不利な品質の印象及び運転者の妨害が生じる。
【０００７】
前記の事実に対処するために、前記の支持線を定義して配置することができ、これらの支持線は、歯噛み合い位置に関してそれに対してかつ互いに所定の角度位置をなして、くさびセグメントの内面と連行体リングの周との間のくさびセグメントの範囲に延びており、連行体セグメントのない連行体リングの周範囲は、くさびセグメントの湾曲した内面に対して異なった曲率を有する。このようにして連行体リングの周範囲とくさびセグメントの内面との間に生じる線接触の点即ち支持点が、垂直線即ち両方の金具部分の歯部の噛み合い位置に対して所定の角度内に生じるようにすることができる。
【０００８】
所定の摩擦対（連行体リングの周範囲に対するくさびセグメントの内面）の際に、くさびセグメントの種々の自己拘束条件を確定できるようにするために、連行体リングの中心点、したがってその周範囲も、中心に対して、すなわち連行体ブシュの回転軸線に対して、偏心の方向において正又は負の方向にわずかな程度だけずらすことができる。それによりくさびセグメントのくさび角を同じに維持した際に、支持点角度を変えることが可能なので、システムにおける力結合を最適化するという可能性が存在する。この時、くさびセグメントの制御行程は、もはやくさびセグメント自体の支持点角度に依存しないので、システムの操作の際に空行程は影響を受けることがない。連行体に回転運動を導入する際に、くさびセグメントの内面と連行体リングの周範囲との間のくさびギャップは変化することができ、その際、進む又は遅れるくさびセグメントは、連行体リングの外側輪郭の偏心運動によって直接駆動される。それにより空行程は短縮することができるので、調節のむだ時間は、かなり減少することができる。
【０００９】
支持点角度を規定するため、連行体リングの連行体セグメントのない周範囲とそれぞれのくさびセグメントの内面が異なる曲率を有し、それにより一方においてくさびセグメントの狭い側から出発しかつ他方においてくさびセグメントの広い側から出発してそれぞれ狭くなるくさびギャップが生じ、支持点においてくさびセグメントと連行体リングの周範囲とが接触する。
【００１０】
本発明は、実施例において図面に示されており、かつ次に詳細に説明する。
【００１１】
まず図面の図において、調節金具は、本発明の理解のために意味があるような形だけで示されていることを述べておく。このようにして調節金具が、背もたれと座席部分との間の座席の両方の長手側にどのようにして配置することができるかは、とくに示されておらず、かつトルクが例えば一方の座席長手側における連行体にどのようにして導入されるかかつ対向する座席側における調節金具にどのようにして伝達されるかは、さらに示されていない。さらに座席自体は、これが通常のかつ周知の構成に構成することができるので、示されていない。
【００１２】
座席部分を背もたれに結合する調節金具１０は、座席部分に結合された固定の金具部分１１、及び背もたれに結合されかつ金具部分１１に対して調節可能な金具部分１２を有し、その際、これらの金具部分は、偏心区間１４を含む操作部材１３によって互いに結合されている。操作部材１３も、伝動装置として形成された調節及び固定装置の構成部分であり、それには、刻印によって金具部分１２から形成された外側歯部１６を有する平歯車１５も所属しており、この外側歯部は、例えば同様に刻印によって形成された金具部分１１の歯付きリム１７の内側歯部１８に噛み合っている。外側歯部１６の外端歯先円の直径は、少なくとも１つの歯高さだけ、内側歯部１８の歯元円の直径より小さい。それにしたがって歯部１６及び１８は、少なくとも１つの歯だけ相違した歯数を有する。このことは、内側歯部１８の歯数が、外側歯部１６の歯数より大きいことを意味している。図示した装置は、外側歯部１６が内側歯部において転がることができるように選択されている。
【００１３】
金具部分１１は、その内側歯部１８に対して同心的にカラー列１９を有し、このカラー列内に連行体ブシュ２１として形成された連行体２０が支持されている。偏心区間１４に所属のこの連行体ブシュ２１は、ボス２２を有し、このボスは、金具部分１１のカラー列１９内に遊びを持って噛み合っている。このボス２２は、スプラインプロファイルに整合する穴２３を有する。このボス２２に直径の一層大きな段部２４が続いており、この段部から、他方において直径の一層大きな円板２５が突出している。連行体ブシュ２１の段部２４は、例えば連行体リング２６を保持し、この連行体リング上に、それ自体周知のように２つのくさびセグメント２７が支持されており、これらのくさびセグメントは、その湾曲した外面によって、金具部分１２に回らないように挿入されたブシュ２８を支持している。連行体リング２６は、くさびセグメント２７の狭い側の間に遊びを持ってはまる連行体セグメント２９を有し（図４及び５）、この連行体セグメントは、連行体セグメント２９によって邪魔されない連行体リング２６の周範囲３０を、−２つのストッパ３１を形成して−、半径方向に越えて突出している。連行体セグメント２９の範囲において連行体リングは、半径方向に広がった切り欠き３２を有し、この切り欠きは、この例においてセグメント状に延びており、かつその両方の端部に、連行体ブシュ２１と連行体リング２６を回らないように結合するために、連行体ブシュ２１の連行体フック３３を収容している。
【００１４】
くさびセグメント２７の互いに向き合った広い側は、それぞれ１つの切り欠き３４を有し、この切り欠き内にリングばね３５の端部指３６が噛み合っており、かつくさびセグメント２７を互いに押し離している。切り欠き３４の上においてそれぞれのくさびセグメント２７広い側に、切り欠き３４を越えて突出した突起３７が配置されており、それにより操作運動の間に所定の負荷状態の際、摩擦がくさびセグメント２７のブロック位置におけるようなものを引起こすときに、一方の突起が他方の突起に作用を及ぼすことができる。その際、切り欠き３４の上の図４及び５からもっとも良好に見られるべき突起３７の代わりに、これらの突起は、切り欠き３４の下に配置してもよい。
【００１５】
図４及び５からもっとも良好に引出すことができるように、くさびセグメント２７の湾曲した外面は、金具部分１２内に押込まれたブシュ２８の内周３８とほぼ同じ曲率を有する。それに反してそれぞれのくさびセグメント２７の湾曲した内面３９は、連行体セグメント２９に邪魔されない連行体リング２６の周範囲３０に対して相違した曲率を有する。それにより連行体リング２６の周範囲３０におけるくさびセグメント２７の線接触が生じ、この線接触は、図４及び５に支持点４０としてマークされている。この支持点は、垂直線に対して、−すなわち歯部の噛み合い位置に対して−所定の角度内に生じ、この角度は、支持点角度４１と称し、かつ垂直線と、支持点４０及び金具部分１２内に押込まれたブシュ２８の内周３８の中心Ｍの間の線との間の角度をなしている。
【００１６】
金具部分１２内に押込まれたブシュ２８の中心‘Ｍ’と金具部分１１におけるカラー列１９の中心‘Ｏ’との間の間隔は、偏心‘ｅ’と称する。この時、一方において、支持点４０と金具部分１２のブシュ２８の中心‘Ｍ’との間に線‘Ｌ１’が引かれ、かつ他方において、支持点４０と連行体リング２６の中心点‘ＭＰ’との間に線‘ＬＸ’が引かれる。線‘Ｌ１’と‘ＬＸ’との間に囲まれた角度は、くさび角‘ＫＷ’と称し、かつ偏心区間１４の自己拘束条件にとって責任を有する。
【００１７】
所定の支持点角度４１は、くさび角‘ＫＷ’の有効な偏心の所定の変化によって変化する。図４から明らかなように、連行体リング２６の中心点‘ＭＰ’は、寸法‘Ｘ１’だけ偏心方向において内方にずらして配置することができるので、偏心寸法‘ｅ’に対して有効な偏心は減少する。この場合、図４から引出すことができるように、くさび角‘ＫＷ’も減少する。しかしながらその逆の場合、すなわち有効偏心が、偏心寸法‘ｅ’に対して寸法‘Ｘ２’だけ外方にずらされ場合、くさび角‘ＫＷ’も増加する。第１の場合、負の偏心シフトが行なわれるが、一方第２の場合、正の偏心シフトによる有効な偏心が達成される。その際、第１の場合、支持点４０と有効偏心のずれた中心点‘ＭＰ’との間に延びた線‘ＬＸ１’が生じるが、一方第２の場合、有効な偏心のシフトのために外方へ一層大きなくさび角‘ＫＷ’を引起こす線‘ＬＸ２’が生じる。支持点４０の位置は、その上にくさびセグメントが支持される連行体リング２６の周範囲３０の輪郭によって決めることができる。その際、平歯車１５に対して偏心した中心点を有する連続的な半径のくさびセグメント２７の内面３９を形成することができ、又は調和してさらに狭くなるくさびギャップ４２を生じる別の輪郭を有することができる。それにより偏心のあらゆる公差位置に対して支持点角度４１が一定に維持され、かつ偏心区間１４の自己拘束条件に対して有効なくさび角‘ＫＷ’も一定に維持されるという利点が得られる。したがってくさび力の力方向の変動は一層小さく、このくさび力は、それ故に遊びのない操作機能を考慮して、歯部から生じる力の最適値の一層近くに置くことができる。完全性のためになお、利用位置に取付けられた調節金具は、軸線方向にリング４３によって確保されており、このリングは、突起によってボス２２における相応する溝内に噛み合っていることを述べておく。偏心区間の汚れに対する保護として、パッキンリング４４が使われ、このパッキンリングは、連行体ブシュ２１の円板２５に固定されている。
【００１８】
図６及び７は、基本図を示しており、その際、図６において前記のような調節金具の展開した偏心区間が問題になっており、この偏心区間において偏心のシフトは行なわれていない。それに反して図７に、展開した形の偏心区間が示されており、その際、偏心‘ｅ’に、図５から明らかなような正の偏心シフト‘Ｘ２’が付け加えられている。
【００１９】
すでに述べたように、本発明は、実施例において示されているが、決してこれだけに限定されるものではない。それどころかなお、本発明の対象の種々の変形及び別の構成を考えることができる。その上さらに図面及び明細書から明らかなすべての特徴は、これらが特許請求の範囲に明確に請求されていない場合にも、本発明にとって重要である。
【図面の簡単な説明】
【図１】  本発明による調節金具の構成部分を示す展開した斜視図である。
【図２】  組立られた状態において切り欠かれた図で示す調節金具の図である。
【図３】  図２から明らかな調節金具を示す図２の線ＩＩＩ−ＩＩＩに沿った断面図である。
【図４】  連行体リングの連行体のない外周範囲が有効な偏心を減らす寸法だけ偏心の方向にずらした図２及び３から明らかな調節金具の偏心区間を示す図である。
【図５】  連行体リングの連行体のない外周範囲が有効な偏心を増やす寸法だけ偏心の方向にずらした図４に対して変形された偏心区間を示す図である。
【図６】  連行体リングの連行体セグメントのない外周範囲のシフトが行なわれていない偏心区間の展開して示された基本図である。
【図７】  図５と同様に連行体リングの連行体セグメントのない外周範囲の偏心を増やすシフトが行なわれている偏心区間の展開した基本図である。
【図１】
0004535222.tif 000002
【図２】
0004535222.tif 000003
【図３】
0004535222.tif 000004
【図４】
0004535222.tif 000005
【図５】
0004535222.tif 000006
【図６】
0004535222.tif 000007
【図７】
0004535222.tif 000008